(57)【要約】【課題】車両と情報端末とが接続状態にあることを、より直感的に認識できるようにする。【解決手段】車両１０は、ユーザが携帯する情報端末３０に情報を送信する機能を有する。端末通信部１２０は、情報端末３０との間で通信を行う。情報送信部２４４は、車両１０の主電源がオフされた際に端末通信部１２０が情報端末３０と通信可能な場合、情報端末３０に対し端末通信部１２０を介して所定の情報を送信する。所定の情報とは、例えば車両１０の現在位置に関連する情報などである。【選択図】図１
2019053484.tif 000002
【特許請求の範囲】
【請求項１】
ユーザが携帯する情報端末に情報を送信する車両用通信装置であって、
前記情報端末との間で通信を行う端末通信部と、
前記車両の主電源がオフされた際に前記端末通信部が前記情報端末と通信可能な場合、前記情報端末に対し前記端末通信部を介して所定の情報を送信する情報送信部と、
を備えることを特徴とする車両用通信装置。
【請求項２】
前記所定の情報は、前記端末通信部と前記情報端末との間の端末連動情報である、
ことを特徴とする請求項１記載の車両用通信装置。
【請求項３】
前記情報送信部は、前記車両の主電源がオフされてから所定経過後に前記所定の情報を送信する、
ことを特徴とする請求項１または２記載の車両用通信装置。
【請求項４】
前記情報送信部は、前記車両の主電源がオフされてから所定経過後、かつ前記ユーザが降車してから所定距離移動するまでの間に前記所定の情報を送信する、
ことを特徴とする請求項３記載の車両用通信装置。
【請求項５】
前記情報送信部は、前記所定の情報の内容に基づいて前記所定時間を変更する、
ことを特徴とする請求項３記載の車両用通信装置。
【請求項６】
前記車両の現在位置情報を取得する位置情報取得部を更に備え、
前記情報送信部は、前記所定の情報として前記車両の現在位置に関連する情報を送信する、
ことを特徴とする請求項１から５のいずれか１項記載の車両用通信装置。
【請求項７】
前記現在位置に関する情報は、前記現在位置の気象情報である、
ことを特徴とする請求項６記載の車両用通信装置。
【請求項８】
前記所定の情報を前記ユーザが確認したことを示す確認情報を前記端末通信部で受信した場合、前記車両外部に位置する装備品を動作させる確認動作制御部を更に備える、
ことを特徴とする請求項１から７のいずれか１項記載の車両用通信装置。
【発明の詳細な説明】
【技術分野】
【０００１】
本発明は、車両用通信装置に関する。
【背景技術】
【０００２】
従来、駐車中の車両の窓開閉状態、灯火状態、ドア施錠状態などが予め定められた標準状態と一致しない場合に、その旨を示す情報をユーザが携帯する情報端末に送信し、ユーザに車両の窓やドアなどの操作忘れを通知するリマインダ機能が知られている。
また、このような車両の装備品の操作状態を示す情報の出力タイミングとして、「携帯通信端末が車両から離れたとき」を指定することにより、情報端末を所持するユーザが車両から適度に離れたときに設定し、通知の有用性を向上させる技術が提案されている（例えば下記特許文献１参照）。
【先行技術文献】
【特許文献】
【０００３】
【特許文献１】特許５８４９９１８号公報
【発明の概要】
【発明が解決しようとする課題】
【０００４】
上述した従来技術のように、車両から離れたユーザの情報端末に情報を送信する場合、車両側の通信装置とユーザが携帯する情報端末との間の通信が確立している（通信が可能である）必要がある。
ユーザに対して車両側の通信装置とユーザの情報端末との間の通信状態を報知する方法として、例えば車両の駐車時に車内に設けられたモニタなどに通信状態を示すアイコンを表示する等の方法がある。
しかしながら、この方法ではユーザがアイコンを見落とす可能性がある。また、ユーザは実際に車両と情報端末とが通信可能であることを実感することができないため、形式的な表示と捉えられる可能性があり、改善の余地がある。
本発明は、このような事情に鑑みなされたものであり、その目的は、車両と情報端末とが接続状態にあることを、より直感的に認識できるようにすることにある。
【課題を解決するための手段】
【０００５】
上述の目的を達成するため、請求項１の発明にかかる車両用通信装置は、ユーザが携帯する情報端末に情報を送信する車両用通信装置であって、前記情報端末との間で通信を行う端末通信部と、前記車両の主電源がオフされた際に前記端末通信部が前記情報端末と通信可能な場合、前記情報端末に対し前記端末通信部を介して所定の情報を送信する情報送信部と、を備えることを特徴とする。
請求項２の発明にかかる車両用通信装置は、前記所定の情報は、前記端末通信部と前記情報端末との間の端末連動情報である、ことを特徴とする。
請求項３の発明にかかる車両用通信装置は、前記情報送信部は、前記車両の主電源がオフされてから所定経過後に前記所定の情報を送信する、ことを特徴とする。
請求項４の発明にかかる車両用通信装置は、前記情報送信部は、前記車両の主電源がオフされてから所定経過後、かつ前記ユーザが降車してから所定距離移動するまでの間に前記所定の情報を送信する、ことを特徴とする。
請求項５の発明にかかる車両用通信装置は、前記情報送信部は、前記所定の情報の内容に基づいて前記所定時間を変更する、ことを特徴とする。
請求項６の発明にかかる車両用通信装置は、前記車両の現在位置情報を取得する位置情報取得部を更に備え、前記情報送信部は、前記所定の情報として前記車両の現在位置に関連する情報を送信する、ことを特徴とする。
請求項７の発明にかかる車両用通信装置は、前記現在位置に関する情報は、前記現在位置の気象情報である、ことを特徴とする。
請求項８の発明にかかる車両用通信装置は、前記所定の情報を前記ユーザが確認したことを示す確認情報を前記端末通信部で受信した場合、前記車両外部に位置する装備品を動作させる確認動作制御部を更に備える、ことを特徴とする。
【発明の効果】
【０００６】
請求項１の発明によれば、車両の駐車時（主電源オフ時）にユーザが携帯する情報端末に対して所定の情報を送信するので、端末通信部と情報端末とが通信可能であることをユーザに直感的に認識させる上で有利である。特に、駐車時に装備品が標準状態にない場合に、ユーザの情報端末に通知するリマインダ機能を有する車両の場合、リマインダ通知が有効であることをユーザに認識させる上で有利である。
請求項２の発明によれば、所定の情報は、端末通信部と情報端末との間の端末連動情報であるので、端末通信部と情報端末とが通信可能であることをユーザに直感的に認識させる上で有利である。
請求項３の発明によれば、車両の主電源がオフされてから所定経過後に所定の情報を送信するので、降車準備で慌ただしい主電源のオフ直後と比較して、ユーザが余裕をもって所定の情報に対応することができる。
請求項４の発明によれば、車両の主電源がオフされてから所定経過後、かつユーザが降車してから所定距離移動するまでの間に所定の情報を送信するので、例えば、駐車中の車両の窓開閉状態、灯火状態、ドア施錠状態などが予め定められた標準状態と一致しない場合、その旨を示す情報をユーザが携帯する情報端末に送信し、ユーザに車両の窓やドアなどの操作忘れを通知するリマインダ機能を有する車両の場合、実際にリマインダ通知が行われる前に（ユーザが降車してから所定距離移動するまでの間に）端末通信部と情報端末との通信状態をユーザが把握することができる。
請求項５の発明によれば、所定の情報の内容に基づいて情報送信までの待ち時間（所定時間）を変更するので、所定の情報の有用性をより向上させることができる。
請求項６の発明によれば、所定の情報として車両の現在位置に関連する情報を送信するので、ユーザは車両での移動先の情報を得ることができ、定型文を送信する場合と比較して、所定の情報の有効性を向上させる上で有利となる。
請求項７の発明によれば、所定の情報として現在位置の気象情報を送信するので、車両での移動先の気象情報をいち早く把握する上で有利となる。
請求項８の発明によれば、確認情報を受信した場合に車両外部に位置する装備品を動作させるので、車両と情報端末との通信が正常に機能していることをユーザが確認可能であるとともに、車両とのつながりをより意識させることができる。
【図面の簡単な説明】
【０００７】
【図１】実施の形態にかかる車両１０の構成を示す図である。
【図２】通信部１１８，１２０の通信可能範囲を模式的に示す説明図である。
【図３】リマインダ機能部２２による処理を示すフローチャートである。
【図４】リマインダ機能の概要を模式的に示す説明図である。
【図５】リマインダ機能の概要を模式的に示す説明図である。
【図６】端末連動情報の設定画面６０の一例を示す説明図である。
【図７】端末連動情報送信部２４による処理を示すフローチャートである。
【図８】終了画面の一例を示す説明図である。
【図９】情報端末３０に表示される端末連動情報の一例を示す図である。
【発明を実施するための形態】
【０００８】
以下に添付図面を参照して、本発明にかかる車両用通信装置の好適な実施の形態を詳細に説明する。まず、実施の形態にかかる車両用通信装置を搭載した車両の構成について説明する。
図１は、実施の形態にかかる車両１０の構成を示す図である。
車両１０は、ドア部材１０２、ドア開閉／ロック機構１０４、ドアセンサ１０６、電源スイッチ１０８、モニタ１１０、車外ランプ１１２、車外スピーカ１１４、ＧＰＳユニット１１６、キー通信部１１８（第２の通信部）、端末通信部１２０（第１の通信部）およびＥＣＵ２０を備える。
【０００９】
ドア部材１０２は、車両１０の側部に設けられており、車両内部（車内）と車両外部（車外）とを仕切る部材である。ドア部材１０２は、車両の左右に設けられ各座席への出入りの際に開閉される乗降用ドア部材の他、車両後部のラゲッジルームへの荷物の出し入れ時等に開閉されるテールゲート用部材を含む。
【００１０】
ドア開閉／ロック機構１０４は、ドア部材１０２の開閉やロックを行うための機構である。ドア開閉／ロック機構１０４は、ユーザによる操作によりドア部材１０２の開閉やロックを行う他、ＥＣＵ２０からの制御信号に基づいて作動することも可能である。
例えばドア部材１０２がパワースライドドア等である場合には、ＥＣＵ２０からの制御信号（ドア開閉信号）に対応してドア開閉機構が作動してドア部材１０２を開閉することが可能である。また、ドア部材１０２が閉まっている状態でＥＣＵ２０からの制御信号（ロック信号またはアンロック信号）に対応してロック機構が作動してドア部材１０２を施錠または開錠することが可能である。
ドアセンサ１０６は、ドア部材１０２の開閉状態およびロック状態を検知する。
【００１１】
電源スイッチ１０８は、車両１０の電源の起動状態を操作するためのスイッチである。電源スイッチ１０８は、後述するオペレーションキー３２が車内に存在する場合にのみ操作可能となっている。
本実施の形態では、車両１０は例えばエンジン車であり、電源はイグニッション（ＩＧ）電源、アクセサリ（ＡＣＣ）電源等を使用可能であるものとする。以下、車両１０の主電源とは、イグニッション（ＩＧ）電源を指すものとする。
車両１０が駐車状態（主電源オフ）にある場合、図示しないブレーキペダルを踏み込んだ状態で電源スイッチ１０８を１回押下すると、車両１０の主電源がオンとなり、図示しないエンジンが始動する。また、車両１０が稼働状態（主電源オン）にある場合、図示しないブレーキペダルを踏み込んだ状態で電源スイッチ１０８を１回押下すると、車両１０の主電源がオフとなり、図示しないエンジンが停止する。
なお、車両１０が電動車である場合にも、電源スイッチ１０８の操作により車両１０の主電源のオン／オフが切り替え可能である。
【００１２】
また、本実施の形態では、電源スイッチ１０８により電源の起動状態を操作するものとするが、鍵部材を用いて電源の起動状態を操作するようにしてもよい。すなわち、車両１０の運転席近傍に設けられた挿入口に鍵部材を挿入し、周方向に鍵部材を回転させることにより、アクセサリ電源の起動、イグニッション電源の起動、およびエンジンの始動が順次行われるように構成してもよい。
【００１３】
モニタ１１０は、車両１０の車室内に設けられ、ユーザに対して車両１０に関する各種情報を表示する表示部や、タッチパネルとしてユーザから車両１０に対する各種操作を受け付ける操作部として機能する。
車外ランプ１１２は、ヘッドランプやテールランプ、方向指示灯、非常点滅灯、制動灯など、車両外部に位置するランプ類である。
車外スピーカ１１４は、車両外部に対して音声を出力する。
ＧＰＳユニット１１６は、ＧＰＳ衛星からの信号を受信し、車両１０の現在位置情報を算出する。
【００１４】
キー通信部１１８は、ユーザが保持するオペレーションキー３２との間で通信を行う。キー通信部１１８とオペレーションキー３２とは、例えばＬＦ波を用いて通信を行い、通信可能範囲は数メートル程度である。
オペレーションキー３２は、車両１０のキーレスオペレーションシステムを作動させるための端末である。
オペレーションキー３２とキー通信部１１８とが通信可能な場合、すなわち、オペレーションキー３２を携帯したユーザが車両１０の近傍にいる場合には、バッグやポケットからオペレーションキー３２を取り出すことなく、ドア部材１０２の解錠や施錠、エンジンの始動や停止を行うことができる。ドア部材１０２の解錠は、例えばドア部材１０２（またはドア部材１０２の周囲）に設けられたドアスイッチを押すことによって行う。また、オペレーションキー３２は、キーレスエントリーのリモコンスイッチとしても使用することができ、オペレーションキー３２に設けられたボタンを操作することにより、車両１０から離れた位置からドア部材１０２の開閉や施錠等を行うことができる。
【００１５】
端末通信部１２０は、ユーザが保持する情報端末３０との間で通信を行う。
情報端末３０は、例えばスマートフォンやタブレット、または腕時計やリストバンド、メガネ等の形状を有するウェラブル端末などである。端末通信部１２０には、車両１０からのメッセージを表示したり、車両１０に対する操作指示を行うための車両連動プログラムがインストールされている。
端末通信部１２０と情報端末３０とは、例えばBluetooth（登録商標）を用いて通信を行い、通信可能範囲は数十メートル程度である。
【００１６】
図２は、キー通信部１１８および端末通信部１２０の通信可能範囲を模式的に示す説明図である。
なお、通信可能範囲とは、オペレーションキー３２または情報端末３０と各通信部とが、所定の電波強度以上で通信可能な領域である。
キー通信部１１８の通信可能範囲（キー通信範囲）Ｓ１は、車両１０を中心として半径Ｒ１の領域である。
端末通信部１２０の通信可能範囲（端末通信範囲）Ｓ２は、車両１０を中心として半径Ｒ２（＞Ｒ１）の領域である。
すなわち、キー通信部１１８とオペレーションキー３２との間よりも、端末通信部１２０と情報端末３０との間の方が、より広い範囲で通信可能となっている。
【００１７】
なお、本実施の形態では、端末通信部１２０と情報端末３０とが直接電波の送受信を行うようにしているが、例えばインターネット等の広域通信網を用いて通信を行うようにしてもよい。しかしながら、本実施の形態のような構成とすれば、車両１０が広域通信網の電波圏外に位置する場合でも端末通信部１２０と情報端末３０とを通信可能とすることができる。
【００１８】
図１の説明に戻り、ＥＣＵ２０は、ＣＰＵ、車両制御プログラムなどを格納・記憶するＲＯＭ、プログラムの作動領域としてのＲＡＭ、各種データを書き換え可能に保持するＥＥＰＲＯＭ、周辺回路等とのインターフェースをとるインターフェース部などを含んで構成される。
本実施の形態では、ＥＣＵ２０は、上記ＣＰＵが各種プログラムを実行することにより、リマインダ機能を実現するリマインダ機能部２２と、情報端末３０に端末連動情報を送信する端末連動情報送信部２４と、を実現する。
なお、本実施の形態では、１つのＥＣＵ２０がリマインダ機能部２２と端末連動情報送信部２４を実現するものとしたが、リマインダ機能部２２を実現するＥＣＵと端末連動情報送信部２４を実現するＥＣＵとをそれぞれ設けてもよいし、２つまたはそれ以上のＥＣＵが協調してリマインダ機能部２２および端末連動情報送信部２４の処理を行ってもよい。
【００１９】
リマインダ機能部２２は、駐車中の車両の窓開閉状態、灯火状態、ドア施錠状態などが予め定められた標準状態と一致しない場合、その旨を示す情報をユーザが携帯する情報端末３０に送信し、ユーザに車両の窓やドアなどの操作忘れを通知する。
例えば装備品がドア部材１０２の場合、駐車中の標準状態とは、全てのドア部材１０２が閉まり、ロックされた状態である。また、装備品が窓の場合、駐車中の標準状態とは、全ての窓が閉められた状態である。また、装備品が車外ランプ１１２の場合、駐車中の標準状態とは、全ての車外ランプ１１２が消灯した状態である。
【００２０】
図４および図５は、リマインダ機能の概要を模式的に示す説明図である。
例えば、図４Ａに示すように、車両１０を駐車したユーザＵが車外ランプ（ヘッドランプ）１１２を点灯したままの状態で車両１０から離れた（本実施の形態では、キー通信範囲Ｓ１の外部まで移動した）ものとする。
この場合、リマインダ機能部２２は、図４Ｂに示すように、ユーザＵが携帯する情報端末３０に車両１０の車外ランプ（ヘッドランプ）１１２の消し忘れの可能性がある旨のメッセージＭ１および車外ランプ（ヘッドランプ）１１２が点灯している様子を示すイメージＭ２が表示されるように制御信号を送信する。
また、この時、車外スピーカ１１４から「ピ・ピ・ピ」等の警報音を出力するようにしてもよい。
さらに、リマインダ機能部２２は、図５Ｂに示すように、情報端末３０に車外ランプ（ヘッドランプ）１１２に対して消灯指示を行うか否かを問うメッセージＭ３、および消灯指示用の操作ボタンＭ４が表示されるように制御信号を送信する。
ユーザＵが操作ボタンＭ４を操作して消灯指示を行った場合、リマインダ機能部２２は、車外ランプ（ヘッドランプ）１１２を消灯させるよう制御する制御信号を出力する。これにより、図５Ｂに示すように、車外ランプ（ヘッドランプ）１１２が消灯する。
このように、リマインダ機能により駐車中の車両１０の装備品を適切な状態とすることができ、バッテリ切れ（ランプの消し忘れ時）や水濡れ（窓やドアの閉め忘れ時）、盗難（窓やドアの閉め忘れ時）等を防止することができる。
なお、本実施の形態では、リマインダ機能での通知対象事象をドア部材１０２や窓の閉め忘れ、車外ランプ１１２の消し忘れ等とするが、この他にも、例えば主電源の切り忘れやオペレーションキー３２の車内への置き忘れ等を通知してもよい。
【００２１】
図１の説明に戻り、リマインダ機能部２２は、キー通信状態検知部２２０、車両状態検知部２２２、リマインダ通知送信部２２４、装備品制御部２２６を備える。
キー通信状態検知部２２０は、キー通信部１１８とオペレーションキー３２との間の通信状態を検知する。
キー通信部１１８とオペレーションキー３２とが通信可能な場合には、オペレーションキー３２を保持するユーザが車室内または車両１０の近傍（図２のキー通信範囲Ｓ１内）に位置することを示す。
また、キー通信部１１８とオペレーションキー３２とが通信不可な場合には、オペレーションキー３２を保持するユーザがキー通信範囲Ｓ１の外部に位置することを示す。なお、キー通信部１１８とオペレーションキー３２とが通信不可な場合として、例えばオペレーションキー３２の電池切れなども想定されるが、本実施の形態では考慮しないものとする。
【００２２】
車両状態検知部２２２は、車両１０の装備品の状態を検知する。
車両状態検知部２２２は、例えばドアセンサ１０６から各ドア部材１０２の開閉状態および施錠状態の情報を取得する。また、車両状態検知部２２２は、車外ランプ１１２の通電状態から、車外ランプ１１２の点灯状態を検知する。
【００２３】
リマインダ通知送信部２２４は、車両状態検知部２２２により検知された装備品の状態が標準状態と一致しない場合に、端末通信部１２０を介して、その旨を示すメッセージ（図４Ｂ参照）をユーザが携帯する情報端末３０に送信する。また、リマインダ通知送信部２２４は、装備品の状態を標準状態とするための操作用インターフェースを含むメッセージ（図５Ｂ参照）を情報端末３０に送信する。以下、これらのメッセージを「リマインダ通知」という。
【００２４】
装備品制御部２２６は、リマインダ通知送信部２２４により送信された操作用インターフェース（図５Ｂ参照）に対して、装備品の状態を標準状態とするよう指示する操作が行われた場合に、当該装備品が標準状態となるように制御する。
【００２５】
図３は、リマインダ機能部２２による処理を示すフローチャートである。
リマインダ機能部２２は、車両１０の主電源がオフされると（ステップＳ３００：Ｙｅｓ）、車両状態検知部２２２により車両１０の装備品の状態を検知する（ステップＳ３０１）。
また、キー通信状態検知部２２０により、キー通信部１１８とオペレーションキー３２との間の通信状態を検知する。オペレーションキー３２がキー通信部１１８との通信圏内（キー通信範囲Ｓ１の内部）に位置する間は（ステップＳ３０２：Ｎｏ）、ステップＳ３０１に戻り、装備品の状態検知を継続する。
一方、オペレーションキー３２がキー通信部１１８との通信圏外（キー通信範囲Ｓ１の外部）となった場合（ステップＳ３０２：Ｙｅｓ）、リマインダ通知送信部２２４は、装備品の状態が駐車時の標準状態と一致するか否かを判断する（ステップＳ３０４）。
全ての装備品の状態が駐車時の標準状態と一致する場合は（ステップＳ３０４：Ｎｏ）、そのまま本フローチャートの処理を終了する。
また、装備品のうち駐車時の標準状態と一致しないものがある場合は（ステップＳ３０４：Ｙｅｓ）、リマインダ通知送信部２２４により、ユーザの情報端末にリマインダ通知を送信する（ステップＳ３０６）。
リマインダ通知に含まれる操作用インターフェースが操作され、装備品を標準状態とする指示があった場合には（ステップＳ３０８：Ｙｅｓ）、装備品制御部２２６により当該装備品を標準状態に制御する（ステップＳ３１０）。
なお、リマインダ通知を行ってから操作用インターフェースが操作されないまま所定時間以上経過した場合や、装備品を標準状態とすることを拒否する指示があった場合（図５Ｂの「いいえ」ボタンの押下など）には（ステップＳ３０８：Ｎｏ）、そのまま本フローチャートの処理を終了する。
【００２６】
つぎに、端末連動情報送信部２４（図１参照）について説明する。
上述のように、リマインダ機能部２２は、ユーザが保持する情報端末３０にリマインダ通知を送信する。このため、車両１０が駐車された時点で、端末通信部１２０と情報端末３０とが通信可能か否かを確認し、確認結果をユーザに提示することが望ましい。
このため、端末連動情報送信部２４は、車両１０の主電源がオフされた際（駐車時）に、端末通信部１２０が情報端末３０と通信可能な場合、情報端末３０に対して端末通信部１２０を介して所定の情報（端末連動情報）を送信し、端末通信部１２０と情報端末３０とが通信可能であることをユーザが認識可能とする。
すなわち、請求項における車両用通信装置は、端末通信部１２０と端末連動情報送信部２４とによって実現される。
【００２７】
図１に示すように、端末連動情報送信部２４は、端末通信状態検知部２４０、電源状態検知部２４１、終了画面表示部２４２、位置情報取得部２４３、情報送信部２４４、確認動作制御部２４５を備える。
端末通信状態検知部２４０は、端末通信部１２０と情報端末３０との間の通信状態を検知する。本実施の形態では、端末通信状態検知部２４０は、主に車両１０の駐車時に端末通信部１２０と情報端末３０とが通信可能か否かを検知する。
車両１０の駐車時に端末通信部１２０と情報端末３０とが通信不可な場合とは、例えばユーザが情報端末３０を携帯してない場合や、情報端末３０の電源が入っていない場合、端末通信部１２０または情報端末３０が故障している場合などが考えられる。
【００２８】
電源状態検知部２４１は、電源スイッチ１０８の操作状態を検知し、特に車両１０の主電源のオン／オフ状態を検知する。
このように主電源の状態を検知するのは、短時間の「停車」と、ユーザが車両１０から離れる「駐車」とを区別するためである。すなわち、本実施の形態では、車両１０が停車され（車速ゼロ、シフト状態Ｐレンジ）、かつ主電源がオフされた場合を車両１０の駐車状態と認識し、ユーザが車両１０から離れる、すなわちリマインダ機能が必要となる場面と認識する。
【００２９】
終了画面表示部２４２は、車両１０の主電源がオフされた場合に、車室内のモニタ１１０に車両１０が起動終了したことを示す画面（終了画面）を表示させる。
図８は、終了画面の一例を示す説明図である。
図８では、モニタ１１０に「Ｓｅｅ  Ｙｏｕ」のメッセージＭ５が表示されている。
このような終了画面は、例えばユーザにより電源スイッチ１０８が操作され、主電源がオフされてから数秒程度表示される。終了画面を目視することで、ユーザは一連の駐車操作が完了し、車両１０を離れる準備ができたことを認識する。
なお、終了画面上に、端末通信部１２０と情報端末３０とが通信可能か否かの情報を表示してもよい。特に、端末通信部１２０と情報端末３０とが通信不可の場合には、後述する端末連動情報を情報端末３０に送信することができないので、終了画面上にその旨を示すメッセージまたはアイコン等を表示するのが好ましい。
【００３０】
位置情報取得部２４３は、車両１０の現在位置情報を取得する。
位置情報取得部２４３は、例えばＧＰＳユニット１１６から出力される車両１０の現在位置情報を取得する。
【００３１】
情報送信部２４４は、車両１０の主電源がオフされた際に端末通信部１２０が情報端末３０と通信可能な場合、情報端末３０に対して端末通信部１２０を介して所定の情報を送信する。以下、所定の情報を「端末連動情報」という。
端末連動情報を送信することによって、情報端末３０と端末通信部１２０とが通信可能であり、リマインダ機能が有効となっていることをユーザに認識させることができる。また、端末連動情報を送信することによって、ユーザに車両１０とのつながりを意識させ、車両１０に対する愛着を高めることができる。
【００３２】
ここで、端末連動情報は、例えば「車両との通信は有効です」など、単に通信状態を示すメッセージであってもよいが、ユーザの利便性の観点から、以下のように様々なバリエーションが考えられる。
図６は、端末連動情報の設定画面６０の一例を示す説明図である。
設定画面６０は、端末連動情報に関する各種設定を行うためのインターフェースであり、車両１０のモニタ１１０または情報端末３０のモニタに表示される。
【００３３】
設定画面６０には、端末連動情報送信可否設定部６２、情報内容設定部６４、送信タイミング設定部６６が表示される。
端末連動情報送信可否設定部６２は、端末連動情報の送信の要否を設定するためのインターフェースである。ユーザが端末連動情報の送信を受ける場合にはオンボタン６２０を押下し、端末連動情報送信機能をオンとする。また、ユーザが端末連動情報の送信を受けない場合にはオフボタン６２２を押下し、端末連動情報送信機能をオフとする。オフボタン６２２が押下された場合には、情報内容設定部６４や送信タイミング設定部６６は操作不可となる。
【００３４】
情報内容設定部６４は、端末連動情報として送信する情報の内容を設定するためのインターフェースである。
図６の例では、端末連動情報の内容として、「標準」（標準ボタン６４０を押下して選択）、「位置連動」（位置連動ボタン６４２を押下して選択）、「気象情報」（標準ボタン６４４を押下して選択）、「スケジュール連動」（スケジュール連動ボタン６４６を押下して選択）を例に挙げている。
【００３５】
図９は、情報端末３０に表示される端末連動情報の一例を示す図である。
「標準」を選択すると、例えば図９Ａのように「気をつけてお出かけください」のような一般的なメッセージＭ６が端末連動情報として表示される。なお、情報端末３０では、図９に示すような表示とともに、メッセージ内容を音声で出力したり、振動により端末連動情報の受信をユーザに報知してもよい。
また、メッセージを確認したユーザは、画面内のＯＫボタンＭ０を押下することにより、メッセージを確認した旨を車両側に返信する。ＯＫボタンＭ０が押下されると、端末連動情報をユーザが確認したことを示す確認情報が車両１０に対して送信される。
【００３６】
「位置連動」を選択すると、位置情報取得部２４３で取得した車両１０の現在位置情報に連動した情報が表示される。すなわち、情報送信部２４４は、端末連動情報として車両１０の現在位置に関連する情報を送信する。
例えば、夕刻に自宅に到着した場合には、図９Ｂに示すように「今日も１日おつかれさまでした！」などのメッセージＭ７が端末連動情報として表示される。また、例えば朝職場に到着した場合には「今日もがんばってください」などのメッセージが表示される。また、例えばレジャー施設などに到着した場合には、「楽しんできてくださいね」などのメッセージが表示される。
なお、自宅や職場など、一般的な地図では特定できない属性の地点は、例えば車両１０に搭載されたナビゲーション装置等に予め登録しておく。
【００３７】
また、車両１０の現在位置情報に連動して、端末連動情報の送信の要否を設定できるようにしてもよい。例えば、現在位置が自宅周辺の場合には、付加的な情報は特に必要ないため端末連動情報の送信を受けないように設定し、それ以外の地域の場合には端末連動情報の送信を受けるように設定してもよい。
【００３８】
「気象情報」を選択すると、車両１０の現在位置情報の気象情報に連動した情報が表示される。
例えば、図９Ｃに示すように「今日は雨の予報です。傘を忘れていませんか？」などのメッセージＭ８が端末連動情報として表示される。この他、気象状況に応じて、例えば「今日の最高気温は３５℃の予報です。暑さ対策を万全にしてくださいね」、「今日は１日晴れの予想です。気持ちの良い１日になりそうですね」などのメッセージが表示される。
なお、気象情報は、例えばインターネット網等を介して情報端末３０または車両１０で取得する。
【００３９】
「スケジュール連動」を選択すると、ユーザが設定したスケジュールに連動した情報が表示される。スケジュールは、例えば情報端末３０または車両１０にインストールされているカレンダーアプリに登録されている内容を参照する。
例えば、ユーザのスケジュールに「〇〇ストアで買い物：△△、□□、☆☆（購入予定の商品名）」と登録されている場合、〇〇ストアに到着した際に図９Ｄのように「〇〇ストアでは△△、□□、☆☆を購入予定です」などのメッセージＭ９が端末連動情報として表示される。この他、例えば現在時刻に近い時間帯に待ち合わせが設定されている場合には「■■時に▼▼（待ち合わせ場所）で●●さんとの待ち合わせの予定です」などのメッセージが表示される。
【００４０】
図６の説明に戻り、送信タイミング設定部６６は、端末連動情報の送信タイミングを設定するためのインターフェースである。
図６の例では、端末連動情報の送信タイミングとして、「電源オフ時」（電源オフ時ボタン６６０を押下して選択）、「降車時」（降車時ボタン６６１を押下して選択）、「降車後」（降車後ボタン６６２を押下して選択）、「設定時間後」（設定時間後ボタン６６３を押下して選択）、「情報連動」（情報連動６６５ボタンを押して選択）を例に挙げている。
【００４１】
「電源オフ時」を選択すると、ユーザにより電源スイッチ１０８が操作された直後に、情報端末３０に端末連動情報が送信される。この場合、車室内のモニタ１１０に終了画面（図８参照）が表示されるのと略同時に情報端末３０に端末連動情報が届く。
「降車時」を選択すると、ユーザが車両１０を降車する際に情報端末３０に端末連動情報が送信される。降車時の判定には、例えばドア部材１０２の開閉状態やオペレーションキー３２の位置などの情報を用いることができる。具体的には、例えば主電源オフ後、運転席のドア部材１０２が開放（または開放後閉鎖）されたタイミング、またはオペレーションキー３２が車内から車外へ持ち出されたタイミングなどを「降車時」と判定することができる。
「降車後」を選択すると、ユーザが車両１０を降車後に情報端末３０に端末連動情報が送信される。降車後とは、例えば上記降車時と判定されたタイミングから所定時間後、またはドア部材１０２が施錠されたタイミングなどを「降車後」とする。
「設定時間後」を選択すると、基準タイミング（例えば主電源オフ時）から設定時間経過後に情報端末３０に端末連動情報が送信される。設定時間後ボタン６６３を押下すると、下部の時間入力部６６４が有効となり、ユーザが所望の時間を入力することができる。
【００４２】
上記「降車時」、「降車後」、「設定時間後」を選択すると、端末連動情報の送信タイミングが主電源オフ時とずれることになる。すなわち、情報送信部２４４は、車両１０の主電源がオフされてから所定経過後に所定の情報（端末連動情報）を送信することになる。ユーザによっては、主電源オフ直後は降車準備を行うため、端末連動情報の受信に煩わしさを感じる場合があるが、このような設定を行えば煩わしさを緩和することができる。
一方で、ユーザがキー通信部１１８の通信可能範囲（キー通信範囲）Ｓ１よりも遠くに移動すると、リマインダ機能によりリマインダ通知が行われる可能性がある。端末連動情報は、リマインダ機能が有効であることをユーザに提示する役割もあるため、実際にリマインダ通知が行われるより前に、すなわちユーザがキー通信範囲Ｓ１にいる間に端末連動情報を送信することが好ましい。よって、情報送信部２４４は、車両１０の主電源がオフされてから所定経過後、かつユーザが降車してから所定距離（キー通信範囲Ｓ１の外縁までの距離）移動するまでの間に端末連動情報を送信するのが好ましい。
【００４３】
「情報連動」を選択すると、情報内容設定部６４で設定した情報内容に連動したタイミングで情報端末３０に端末連動情報が送信される。すなわち、情報送信部２４４は、端末連動情報の内容に基づいて情報送信までの待ち時間（所定時間）を変更する。
具体的には、例えば図９Ｃのように情報内容として気象情報が選択されており、傘の携帯を勧めるメッセージを送信する場合、ユーザが車外に出てから情報を送信したのでは利便性が低下する。よって、このような付加的な情報を送信する場合には、例えば主電源オフ直後やユーザが降車する前に（通常より早いタイミングで）端末連動情報を送信する。
【００４４】
図１の説明に戻り、確認動作制御部２４５は、端末連動情報をユーザが確認したことを示す確認情報を端末通信部１２０で受信した場合、車両外部に位置する装備品を動作させることにより、ユーザに対してアンサーバックを行う。具体的には、確認動作制御部２４５は、図９の各端末連動情報に表示されたＯＫボタンＭ０が押下された場合に、車外ランプ１１２を点灯させたり、車外スピーカ１１４から応答音の出力を行わせたりする。
アンサーバックを行うことにより、車両１０との通信が正常に機能していることをユーザが確認可能とするとともに、車両１０とのつながりをより意識させることができる。
【００４５】
図７は、端末連動情報送信部２４による処理を示すフローチャートである。
端末連動情報送信部２４は、電源状態検知部２４１により車両１０の主電源がオフされたこをと検知すると（ステップＳ７００：Ｙｅｓ）、端末通信状態検知部２４０により端末通信部１２０と情報端末３０との間の通信状態を検知する（ステップＳ７０１）。
端末通信部１２０と情報端末３０とが通信できない場合（ステップＳ７０１：Ｎｏ）、終了画面表示部２４２により終了画面を表示させる際に、情報端末３０とが通信できない旨を表示する（ステップＳ７０２）。
一方、端末通信部１２０と情報端末３０とが通信可能な場合は（ステップＳ７０１：Ｙｅｓ）、終了画面表示部２４２により図８に示すような通常の終了画面を表示させる（ステップＳ７０３）。
【００４６】
図６の端末連動情報送信可否設定部６２で、端末連動情報の送信がオフに設定されている場合には（ステップＳ７０４：Ｎｏ）、そのまま本フローチャートによる処理を終了する。
一方、端末連動情報の送信がオンに設定されている場合（ステップＳ７０４：Ｙｅｓ）、情報送信部２４４は、図６の送信タイミング設定部６６で設定されたタイミングになった際に（ステップＳ７０６：Ｙｅｓ）、図６の情報内容設定部６４で設定された内容の端末連動情報を、情報端末３０に送信する（ステップＳ７０８）。
確認動作制御部２４５は、端末連動情報をユーザが確認したことを示す確認情報を受信した場合には（ステップＳ７１０：Ｙｅｓ）、車両外部に位置する装備品を動作させることにより、ユーザに対してアンサーバックを行う（ステップＳ７１２）。
また、端末連動情報を送信してから所定時間以上確認情報を受信できない場合は（ステップＳ７１０：Ｎｏ）、タイムアウトとしてそのまま本フローチャートの処理を終了する。または端末連動情報の再送信等を行ってもよい。
【００４７】
以上説明したように、実施の形態にかかる車両１０によれば、車両１０の駐車時（主電源オフ時）にユーザが携帯する情報端末３０に対して所定の情報（端末連動情報）を送信するので、端末通信部１２０と情報端末３０とが通信可能であることをユーザに直感的に認識させる上で有利である。特に、駐車時に装備品が標準状態にない場合に、ユーザの情報端末３０に通知するリマインダ機能を有する車両の場合、リマインダ通知が有効であることをユーザに認識させる上で有利である。
また、車両１０の主電源がオフされてから所定経過後に端末連動情報を送信するようにすれば、降車準備で慌ただしい主電源のオフ直後と比較して、ユーザが余裕をもって端末連動情報に対応することができる。
また、車両１０の主電源がオフされてから所定経過後、かつユーザが降車してから所定距離移動するまでの間に端末連動情報すれば、特にリマインダ機能を有する車両の場合、実際にリマインダ通知が行われる前に端末通信部１２０と情報端末３０との通信状態をユーザが把握することができる。
また、端末連動情報の内容に基づいて情報送信までの待ち時間（所定時間）を変更するようにすれば、端末連動情報の有用性をより向上させることができる。
また、端末連動情報として車両の現在位置に関連する情報を送信すれば、ユーザは車両１０での移動先の情報を得ることができ、定型文を送信する場合と比較して、端末連動情報の有効性を向上させる上で有利となる。
また、端末連動情報として現在位置の気象情報を送信すれば、車両１０での移動先の気象情報をいち早く把握する上で有利となる。
また、端末連動情報に対応する確認情報を受信した場合に、車両外部に位置する装備品を動作させるようにすれば、車両１０と情報端末３０との通信が正常に機能していることをユーザが確認可能であるとともに、車両１０とのつながりをより強く意識させることができる。
【符号の説明】
【００４８】
１０  車両
１０２  ドア部材
１０４  ロック機構
１０６  ドアセンサ
１０８  電源スイッチ
１１０  モニタ
１１２  車外ランプ
１１４  車外スピーカ
１１６  ユニット
１１８  キー通信部
１２０  端末通信部
２０  ＥＣＵ
２２  リマインダ機能部
２２０  キー通信状態検知部
２２２  車両状態検知部
２２４  リマインダ通知送信部
２２６  装備品制御部
２４  端末連動情報送信部
２４０  端末通信状態検知部
２４１  電源状態検知部
２４２  終了画面表示部
２４３  位置情報取得部
２４４  情報送信部
２４５  確認動作制御部
３０  情報端末
３２  オペレーションキー
【図１】
2019053484.tif 000003
【図２】
2019053484.tif 000004
【図３】
2019053484.tif 000005
【図４】
2019053484.tif 000006
【図５】
2019053484.tif 000007
【図６】
2019053484.tif 000008
【図７】
2019053484.tif 000009
【図８】
2019053484.tif 000010
【図９】
2019053484.tif 000011